(57)【要約】【課題】種類の光ディスク記録媒体が普及してきているが、これに伴い、かかる記録媒体から記録情報を再生するための光ディスク再生装置に対しては、これら各種の記録媒体に対しても、最適な情報再生処理のために正確かつ迅速に光ディスクの種類を判別することが要求されている。【解決手段】ＣＤ用のレーザでのＦＥＳ信号、さらにはＤＶＤ用のレーザでのＦＥＳ信号の振幅を用いて、ディスクの種類を判別する判別手段を備えたことを特徴とする。また、更にＴＥＳ信号を用いてディスクの種類を判別する判別手段を備えたことを特徴とする。さらに、ディスクの種類の判別時にＣＤレーザーから点灯するため、ＣＤ−Ｒディスクの情報を誤消去することのないようにしたディスク判定手段を特徴とする。【選択図】  図３
2004310926.tif 000002
【特許請求の範囲】
【請求項１】
複数の種類の光ディスクを再生する光ディスク再生装置において、
異なる発振波長を有する少なくとも２つのレーザ光源と、
前記レーザ光源からのレーザ光により生成したフォーカスエラー信号（以降「ＦＥＳ信号」と呼ぶ）を利用してサーボ制御をするサーボ制御手段と、
前記サーボ制御手段にて生成されるＦＥＳ信号振幅の大きさに基づいて光ディスクの種類を判別する第一ディスク判別手段と、
を備えたことを特徴とする光ディスク再生装置。
【請求項２】
前記少なくとも二つレーザ光源は、ＣＤ用レーザ光源と、ＤＶＤ用レーザ光源である請求項１に記載の光ディスク装置。
【請求項３】
請求項１又は２に記載の光ディスク再生装置において、
前記レーザ光源からのレーザ光を利用したディスクの種類に応じた少なくとも２つのトラックエラー（以降「ＴＥＳ信号」と呼ぶ）信号生成処理手段と、
前記第一ディスク判別手段にて判別された光ディスクの種類に応じて前記ＴＥＳ信号生成手段を選択するＴＥＳ信号選択手段と、
前記選択されたＴＥＳ信号生成手段により生成されたＴＥＳ信号を用いて、前記第一ディスク判別手段にて判別された光ディスクの種類をさらに絞込み判別する第二ディスク判別手段と、
を備えたことを特徴とする光ディスク再生装置。
【請求項４】
請求項３に記載の光ディスク再生装置において、
第一ディスク判別手段は、最初にＣＤ用レーザ光源を利用してディスクの判別をすることを特徴とする光ディスク装置。
【請求項５】
ＣＤ用レーザ光源を利用して光ディスク装置内の光ディスクからＦＥＳ信号振幅を取得する第一信号取得ステップと、
前記第一信号取得ステップにて取得したＦＥＳ信号振幅を大、中、小のいずれの分類に属するか判別する第一判別ステップと、
前記第一判別ステップにて、ＦＥＳ信号振幅が大の分類に属すると判別された光ディスクをＣＤ系のディスクとして取り扱う第一ＣＤ系決定ステップと、
前記第一判別ステップにて、ＦＥＳ信号振幅が中の分類に属すると判別された場合に、ＤＶＤ用レーザ光源を利用して光ディスク装置内の光ディスクからＦＥＳ信号振幅を取得する第二信号取得ステップと、
前記第二信号取得ステップにて取得したＦＥＳ信号振幅を大、小のいずれの分類に属するか判別する第二判別ステップと、
前記第二判別ステップにて、ＦＥＳ信号振幅が大の分類に属すると判別された光ディスクをＤＶＤ系のディスクとして取り扱う第一ＤＶＤ系決定ステップと、
前記第二判別ステップにて、ＦＥＳ信号振幅が小の分類に属すると判別された光ディスクをＣＤ系ディスクとして取り扱う第二ＣＤ系決定ステップと、
前記第一判別ステップにて、ＦＥＳ信号振幅が小の分類に属すると判別された場合に、ＤＶＤ用レーザ光源を利用して光ディスク装置内の光ディスクからＦＥＳ信号振幅を取得する第三信号取得ステップと、
前記第三信号取得ステップにて取得したＦＥＳ信号振幅を大、小のいずれの分類に属するか判別する第三判別ステップと、
前記第三判別ステップにて、ＦＥＳ信号振幅が小の分類に属すると判別された光ディスクをＣＤ系の光ディスクとして取り扱う第三ＣＤ系決定ステップと、
前記第三判別ステップにて、ＦＥＳ信号振幅が大の分類に属すると判別された場合に、ＤＶＤレーザ光源を利用して光ディスク装置内の光ディスクからＴＥＳ信号振幅を取得する第四信号取得ステップと、
前記第四信号取得ステップにて取得したＴＥＳ信号振幅を大、小のいずれの分類に属するか判別する第四判別ステップと、
前記第四判別ステップにて、ＴＥＳ信号振幅が大の分類に属すると判別された光ディスクをＤＶＤ系の光ディスクとして取り扱う第二ＤＶＤ系決定ステップと、
前記第四判別ステップにて、ＴＥＳ信号振幅が小の分類に属すると判別された光ディスクをＣＤ系の光ディスクとして取り扱う第四ＣＤ系決定ステップと、
を有する光ディスク判別方法。
【発明の詳細な説明】
【０００１】
【発明の属する技術分野】
本発明は、再生のみ、および記録可能なＣＤもしくはＤＶＤの情報再生を行う光ディスク再生装置、および光ディスク判別方法にに関するものである。
【０００２】
【従来の技術】
従来、光ディスクから、その記録情報を光学的に読み出して再生する光ディスク再生装置には、ＣＤ、ＤＶＤなど種々の方式のものが知られている。また、特に近年、情報を記録できる光学記録媒体として、ＣＤ−Ｒ、ＣＤ−ＲＷ、ＤＶＤ−Ｒ、ＤＶＤ−ＲＷなどが増え、その記録情報を読み出して再生する再生装置も、記録可能媒体に対応する必要が出てきた。
【０００３】
ＣＤに記録されたピットを再生するには、例えばレーザ光源等の波長が７８０ｎｍの光源の光ピックアップを用いて、ＣＤのピット面にレーザ光を集光させ、その反射光の量を利用する。この時、レーザ光を集光させた光スポットを、常にピット面上に合焦させておくためのフォーカス制御と、常にトラック上を追従させるためのトラック制御が必要となる。
【０００４】
これらの制御はフォーカス用、トラック用アクチュエータを制御することで行われる。
【０００５】
このうち、フォーカス制御には例えば非点収差法によるＦＥＳ信号を用い、トラック制御には例えば３ビーム法によるＴＥＳ信号を用いることができる。なお、以上述べたＣＤの再生技術に関しては、「コンパクトディスク読本  オーム社出版局」に詳しく記載されている。
【０００６】
また、ＣＤ−Ｒ、ＣＤ−ＲＷのディスクの記録面の反射率はＣＤの反射率と比べ低い。このため、記録可能なディスクに記録された情報を再生するには、ＣＤ再生時と比較して再生系の利得を上げる必要がある。しかし、これらＣＤ−Ｒ、ＣＤ−ＲＷに関しても再生のみであればＣＤと同じ方法で再生することが出来る。
【０００７】
さらに、ＤＶＤに記録されたピットを再生するには、例えば波長が６５０ｎｍのレーザ光源の光ピックアップを用いて、ＣＤの再生と同様に、ＤＶＤのピット面にレーザ光を集光させ、その反射光の量を利用しフォーカス制御、トラック制御を行う。
【０００８】
但し、ＤＶＤにおいては、ＣＤと比べトラックピッチが約半分と狭い為、ＣＤのトラック間隔に設定された３ビームではトラッキング誤差信号を正しく得ることが出来ない。その代わりに、ＤＶＤではトラッキング制御に、例えば特許文献１に示されているような位相差方式によるトラッキング誤差信号を用いることになる。
【０００９】
【特許文献１】
特開昭５７−１８１４３３号
【００１０】
また再生のみ可能なＤＶＤディスクには、情報層が１つのＤＶＤ−Ｓ、２つのＤＶＤ−Ｄなど、反射率の違うディスクも存在する。
【００１１】
さらに、ＤＶＤ−Ｒ、ＤＶＤ−ＲＷのディスクの記録面の反射率はＤＶＤの反射率と比べ低い。このため、記録可能なディスクに記録された情報を再生するには、ＤＶＤ再生時と比較して再生系の利得を上げる必要がある。しかし、これらＤＶＤ−Ｒ、ＤＶＤ−ＲＷに関しても再生のみであればＤＶＤと同じ方法で再生することが出来る。
【００１２】
以上のように、光ディスクから、その記録情報を光学的に読み出して再生する光ディスク再生装置において、光ディスクの種類によって、最適なレーザ光源の波長の選択、反射率の違いからの再生系の利得の調整、ＴＥＳ信号生成回路の選択など正しく行う必要がある。
【００１３】
【発明が解決しようとする課題】
このように、近年においては、上記の様々な種類の記録媒体が普及してきているが、これに伴い、かかる記録媒体から記録情報を再生するための光ディスク再生装置に対しては、これら各種の記録媒体に対しても、最適な情報再生機能を発揮することが要求されている。
【００１４】
しかしながら、反射率のみでディスクの種別を判断するだけでは、ＤＶＤ系、ＣＤ系の判断が出来なくなってきた。そのため誤った判断をすると、下記のような問題点が発生する。
１．ＣＤ−ＲディスクにＤＶＤ用のレーザーを照射する、ＣＤ−Ｒに記録されたデータが消滅する。
２．誤ったＴＥＳ信号生成回路を選択すると、正しいＴＥＳ信号が生成されない。その為その誤ったＴＥＳ信号を用いてトラック制御を行うと、トラックアクチュエータに異常な電流を流し、アクチュエータの損傷につながる恐れがある。
３．判断に間違ったことに気付くのに時間がかかり、立ち上げ時間の増大を招く。
【００１５】
そこで、本発明では、上述した従来技術における問題点に鑑み、すなわち、近年広く普及してきている多種多様な光ディスクを、再生用レーザ波長による判別を含めて、さらに、その特性の違いによりその種別を更に細かく判別することが可能な光ディスク再生装置とそのための光ディスク判別方法を提供することを目的とする。
【００１６】
【課題を解決するための手段】
上記の問題点を解決する為に、第一の発明は、ＣＤ用のレーザでのＦＥＳ信号、さらにはＤＶＤ用のレーザでのＦＥＳ信号の振幅を用いて、ディスクの種類を判別する判別手段を備えたことを特徴とする。
【００１７】
また、第二の発明は第一発明の判別手段を備え、第一の発明の判別結果によっては、更にＴＥＳ信号を用いてディスクの種類を判別する判別手段を備えたことを特徴とする。
【００１８】
また、第三の発明は、ディスクの種類の判別時にＣＤレーザーから点灯するため、ＣＤ−Ｒディスクの情報を誤消去することのないようにしたディスク判定手段を特徴とする。
【００１９】
さらに、第四の発明では、ＣＤ用レーザ光源を利用して光ディスク装置内の光ディスクからＦＥＳ信号振幅を取得する第一信号取得ステップと、前記第一信号取得ステップにて取得したＦＥＳ信号振幅を大、中、小のいずれの分類に属するか判別する第一判別ステップと、前記第一判別ステップにて、ＦＥＳ信号振幅が大の分類に属すると判別された光ディスクをＣＤ系のディスクとして取り扱う第一ＣＤ系決定ステップと、前記第一判別ステップにて、ＦＥＳ信号振幅が中の分類に属すると判別された場合に、ＤＶＤ用レーザ光源を利用して光ディスク装置内の光ディスクからＦＥＳ信号振幅を取得する第二信号取得ステップと、前記第二信号取得ステップにて取得したＦＥＳ信号振幅を大、小のいずれの分類に属するか判別する第二判別ステップと、前記第二判別ステップにて、ＦＥＳ信号振幅が大の分類に属すると判別された光ディスクをＤＶＤ系のディスクとして取り扱う第一ＤＶＤ系決定ステップと、前記第二判別ステップにて、ＦＥＳ信号振幅が小の分類に属すると判別された光ディスクをＣＤ系ディスクとして取り扱う第二ＣＤ系決定ステップと、前記第一判別ステップにて、ＦＥＳ信号振幅が小の分類に属すると判別された場合に、ＤＶＤ用レーザ光源を利用して光ディスク装置内の光ディスクからＦＥＳ信号振幅を取得する第三信号取得ステップと、前記第三信号取得ステップにて取得したＦＥＳ信号振幅を大、小のいずれの分類に属するか判別する第三判別ステップと、前記第三判別ステップにて、ＦＥＳ信号振幅が小の分類に属すると判別された光ディスクをＣＤ系の光ディスクとして取り扱う第三ＣＤ系決定ステップと、前記第三判別ステップにて、ＦＥＳ信号振幅が大の分類に属すると判別された場合に、ＤＶＤレーザ光源を利用して光ディスク装置内の光ディスクからＴＥＳ信号振幅を取得する第四信号取得ステップと、前記第四信号取得ステップにて取得したＴＥＳ信号振幅を大、小のいずれの分類に属するか判別する第四判別ステップと、前記第四判別ステップにて、ＴＥＳ信号振幅が大の分類に属すると判別された光ディスクをＤＶＤ系の光ディスクとして取り扱う第二ＤＶＤ系決定ステップと、前記第四判別ステップにて、ＴＥＳ信号振幅が小の分類に属すると判別された光ディスクをＣＤ系の光ディスクとして取り扱う第四ＣＤ系決定ステップと、を有する光ディスク判別方法を提供する。
【００２０】
【発明の実施の形態】
以下、本発明の実施例を図面に基づいて説明する。
【００２１】
図１は本発明の構成例である。サーボ制御手段１は光ピックアップ３に対して制御信号Ｂを通じて、図示しないＣＤ用、ＤＶＤ用レーザ光源に対しどちらかのレーザのオン命令を発行する。
【００２２】
光ピックアップ３から選択されたレーザ光源を用いて点灯されたレーザはサーボ制御手段１からのアクチュエータ制御信号Ｃによってアクチュエータ４をフォーカス、トラック制御し、光ディスク５へ到達し、その反射光を光ピックアップ３内の図示しないディテクタによって光信号を電気信号に変換する。
【００２３】
その変換された信号Ａは信号生成手段２においてＦＥＳ信号、ＴＥＳ信号Ｅに生成される。そのＦＥＳ信号、ＴＥＳ信号Ｅを用いてサーボ制御手段１は、フォーカス制御、トラック制御信号を行う為のアクチュエータ制御信号Ｃを生成し、アクチュエータ４を制御する。
【００２４】
また、サーボ制御手段１内のディスク判別手段はディスクの種類を判断し、その判断した結果に基づき、レーザ点灯制御線Ｂを用いて、光ピックアップ３内の図示しないレーザ光源の切り替え、ＦＥＳ、ＴＥＳ信号生成用回路切替制御信号Ｄを用いて信号生成手段内の信号生成手段の切り替えを行う。
【００２５】
図２に信号生成手段の構成例を示す。光ピックアップ３から出力されたＣＤ用ディテクタからの信号Ｆ、ＤＶＤディテクタからの信号ＧのどちらかをＦＥＳ、ＴＥＳ信号生成切替制御線Ｄによって選択し、ＦＥＳ信号生成手段１１を用いてＦＥＳ信号Ｊを生成する。またＣＤ用ディテクタからの信号Ｈから３ビーム法ＴＥＳ信号生成手段１２を用いて３ビーム法を用いたＴＥＳ信号を生成する。また、ＤＶＤ用ディテクタからの信号ＩからＤＰＤ（Ｄｉｆｆｅｒｎｔｉａｌ・Ｐｈａｓｅ・Ｄｅｔｅｃｔｉｏｎ）法ＴＥＳ信号生成手段１３を用いてＤＰＤ法によるＴＥＳ信号を生成する。これら２つのＴＥＳ信号はＦＥＳ、ＴＥＳ信号生成回路切替制御線Ｄによって選択され、ＴＥＳ信号Ｋを生成する。
【００２６】
図３に沿ってディスク判別の方法を説明する。ディスク判別を始めると、（ＳＴＥＰ１）光ピックアップ３内にある図示しないＣＤレーザ光源を点灯する。これは、ＤＶＤ用のレーザをＣＤ−Ｒ等に照射した場合、その記録面に記録されたデータが消失する可能性があるためである。
【００２７】
次にアクチュエータ４をフォーカス方向に揺動しＦＥＳ信号Ｊの信号振幅を取得する（第一信号取得ステップ）。第一信号取得ステップにて取得したＦＥＳ信号振幅をサーボ制御手段１内のディスク判別手段は測定して大中小の３つに分類する（第一判別ステップ）。この様子は、図４を参照することでさらに詳細に理解できる。この図にあるように、ＣＤレーザ光源を利用してＦＥＳ信号振幅を測定すると、大きく分けて大、中、小に分類することができるのである。
【００２８】
ここで大の分類に属したものはＣＤ系のディスクに決定する（第一ＣＤ系決定ステップ）。この分類にはＣＤ、ＣＤ−Ｒディスクが属する。
【００２９】
中に分類された場合（ＤＶＤ−Ｓ、ＤＶＤ−Ｒ、ＣＤ−ＲＷディスクがこれに当てはまりＤＶＤ−Ｄ、ＤＶＤ−ＲＷディスクもこれに当てはまることが有る）はＳＴＥＰ２へ行く。
【００３０】
小に分類された場合（ＤＶＤ−Ｄ、ＤＶＤ−ＲＷディスクがこれに当てはまりＤＶＤ−Ｓ、ＤＶＤ−Ｒ、ＣＤ−ＲＷディスクもこれに当てはまることが有る）はＳＴＥＰ３へ行く。
【００３１】
第一判別ステップにてＦＥＳ信号の振幅が中に分類されたものが以下のステップにて処理される。まず、光ピックアップ３内にある図示しないＣＤレーザ光源を消灯し、ＤＶＤレーザ光源を点灯し、アクチュエータ４をフォーカス方向に揺動しＦＥＳ信号Ｊの信号振幅を取得する（第二信号取得ステップ）。第二信号取得ステップにて取得したＦＥＳ信号振幅をサーボ制御手段１内のディスク判別手段は測定して大小の２つに分類する（第二判別ステップ）。この様子は、図５を参照することで理解できる。この図にあるように、ＤＶＤレーザ光源を利用してＦＥＳ信号振幅を測定すると、大きく分けて大、小に分類することができるのである。
【００３２】
ここで大と分類された場合はＤＶＤディスクに決定される（第一ＤＶＤ系決定ステップ）。
【００３３】
また第二判別ステップにて、ＦＥＳ信号振幅が小と分類された場合にはＣＤディスクと決定する（第二ＣＤ系決定ステップ）。
【００３４】
次に第一判別ステップにてＦＥＳ信号振幅が小に分類されたものは、以下の処理を受ける（ＳＴＥＰ３）。まず、光ピックアップ３内にある図示しないＣＤレーザ光源を消灯し、ＤＶＤレーザ光源を点灯し、アクチュエータ４をフォーカス方向に揺動しＦＥＳ信号Ｊの信号振幅を取得する（第三信号取得ステップ）。そして、第三信号取得ステップにて取得されたＦＥＳ信号振幅をサーボ制御手段１内のディスク判別手段は測定して大小の２つに分類する（第三判別ステップ）。ここで小と分類された場合はＣＤディスクに決定する（第三ＣＤ系決定ステップ）。また大と分類された場合にはＳＴＥＰ４へ行く。この様子も図５を参照して理解できる。
【００３５】
以下では、第三判別ステップにてＦＥＳ信号振幅が大と分類されたものに関しての処理（ＳＴＥＰ４）を説明する。まず、ＳＴＥＰ３で点灯したＤＶＤレーザを用いて、光ディスク５に対してサーボ制御手段１はフォーカス制御を行い、その時のＴＥＳ信号の振幅を取得する（第四信号取得ステップ）。そして、第四信号取得ステップにて取得したＴＥＳ信号振幅をサーボ制御手段１内のディスク判別手段は測定して大小の２つに分類する（第四判別ステップ）。大と分類されるとＤＶＤディスクと決定され（第二ＤＶＤ系決定ステップ）、小と分類されるとＣＤディスクと決定される（第四ＣＤ系決定ステップ）。以上の様子は、図６を参照して理解できる。
【００３６】
以上の処理を順次行うことで複数種類のＤＶＤディスクや、ＣＤディスクを適切に分類、特定でき、その結果に基づいてこれら光ディスクに対して、最適な処理手段を選択することが可能となる。
表１に各ディスクのレーザのタイプ別のＦＥＳ信号振幅、ＴＥＳ信号振幅の１例を示す。
【００３７】
【表１】
2004310926.tif 000003
【００３８】
なお、図３のフローチャート上に記した各判断時の値は、各信号振幅をＡＤ変換手段でサンプルした時の値で、あくまでも一例であり、ＡＤ変換手段の種類、光ピックアップの種類によって変ることは明らかである。
【００３９】
【発明の効果】
以上のように本発明はディスク判別時の動作を高速に行うことが出来、更に誤ったＴＥＳ信号生成回路を用いてトラック制御を行わない為、アクチュエータの損傷を防ぐなど、高速、安定な光ディスク再生装置を実現できるものである。
【図面の簡単な説明】
【図１】本発明の構成例を示す図
【図２】信号生成手段の構成例を示す図
【図３】ディスク判別のフローチャート
【図４】表１で示したディスク毎のＣＤレーザーでのＦＥＳ信号振幅の一例を示す図
【図５】表１で示したディスク毎のＤＶＤレーザでのＦＥＳ信号振幅の一例を示す図
【図６】表１で示したディスク毎のＤＶＤレーザでのＴＥＳ信号振幅の一例を示す図
【符号の説明】
１  サーボ制御手段
２  信号生成手段
３  光ピックアップ
４  アクチュエータ
５  光ディスク
１１  ＦＥＳ信号生成手段
１２  ３ビーム法ＴＥＳ信号生成手段
１３  ＤＰＤ法ＴＥＳ信号生成手段
Ａ  光ピックアップから信号生成手段への各信号  （各ディテクタからの信号）
Ｂ  サーボ制御手段から光ピックアップへの制御信号（レーザ点灯制御線）
Ｃ  サーボ制御手段からアクチュエータへの制御信号（フォーカス、トラック制御信信号）
Ｄ  サーボ制御手段から信号生成手段への制御線（ＦＥＳ、ＴＥＳ信号生成用回路切替制御）
Ｅ  信号生成手段からサーボ制御手段への信号線（ＦＥＳ信号、ＴＥＳ信号）
Ｆ  光ピックアップ内のＣＤ用ディテクタからのＦＥＳ生成用信号線
Ｇ  光ピックアップ内のＤＶＤ用ディテクタからのＦＥＳ生成用信号線
Ｈ  光ピックアップ内のＣＤ用ディテクタからのＴＥＳ生成用信号線
Ｉ  光ピックアップ内のＤＶＤ用ディテクタからのＴＥＳ生成用信号線
Ｊ  信号生成手段で生成されたＦＥＳ信号
Ｋ  信号生成手段で生成されたＴＥＳ信号
【図１】
2004310926.tif 000004
【図２】
2004310926.tif 000005
【図３】
2004310926.tif 000006
【図４】
2004310926.tif 000007
【図５】
2004310926.tif 000008
【図６】
2004310926.tif 000009